(57)【要約】【課題】浴槽の上部フランジで壁パネルを支持する構成の良さを活かして、壁パネルのコストを低減し、浴槽裏側への水の浸入がなく壁パネルに覆われることがない浴槽側の防水対策を十分なものに、かつ、清掃性に優れるようにしながら、浴槽の下面に配設する浴槽側床パンの工夫によって、浴槽側床パンのコストの低減、施工性の向上、特に、浴槽側床パンの周囲にスペースを形成することによって、多様な良さを得ようとする。【解決手段】  浴槽１に出入りする辺を除く浴槽１の少なくとも二辺において、浴槽１の上部フランジ２に壁パネル３を載設する。洗い場側床パン４に対して一体もしくは別体となっている浴槽側床パン５が浴槽１の下面に設置される。浴槽側床パン５の外形平面寸法が浴槽１の外形平面寸法よりも小さくしている。【選択図】図１
2008156816.tif 000002
【特許請求の範囲】
【請求項１】
浴槽に出入りする辺を除く浴槽の少なくとも二辺において、浴槽の上部フランジに壁パネルを載設し、洗い場側床パンに対して一体もしくは別体となっている浴槽側床パンが浴槽の下面に設置され、浴槽側床パンの外形平面寸法が浴槽の外形平面寸法よりも小さくしていることを特徴とする浴室ユニット。
【請求項２】
上記浴槽の上部フランジと対向する浴槽側床パン部分との間に防水・防塵シートを張設していることを特徴とする請求項１記載の浴室ユニット。
【請求項３】
上記浴槽の上部フランジと対向する浴槽側床パン部分との間に防水・防塵壁を設けていることを特徴とする請求項１記載の浴室ユニット。
【請求項４】
上記浴槽に出入りする辺を除く三辺において、浴槽の上部フランジに対向する浴槽側床パンの三辺の各々が、平面視において上部フランジよりも浴槽内方側に位置させていることを特徴とする請求項１又は２又は３記載の浴室ユニット。
【発明の詳細な説明】
【技術分野】
【０００１】
本発明は、浴室ユニットに関し、詳しくは、浴槽の上部フランジで壁パネルを支持する構成の良さを活かして、壁パネルのコストを低減し、浴槽裏側への水の浸入がなく壁パネルに覆われることがない浴槽側の防水対策を十分なものに、かつ、清掃性に優れるようにしながら、浴槽の下面に配設する浴槽側床パンの工夫によって、浴槽側床パンのコストの低減、施工性の向上、特に、浴槽側床パンの周囲にスペースを形成することによって、多様な良さを得ようとする技術に係るものである。
【背景技術】
【０００２】
従来の浴室ユニットにおいては、図８に示すように、洗い場側床パン４ａ、浴槽側床パン５ａを備え、浴槽側床パン５ａの上に浴槽１を設置し、洗い場側床パン４ａ及び浴槽側床パン５ａの縁部に壁パネル３ａを載設支持し、壁パネル３ａの上端部に天井材を施工し、浴室の入り口に出入り口用壁パネルを取付けるものである（例えば、特許文献１等参照）。
【０００３】
このような構成の浴室ユニットＡ１においては、下面も含めた浴槽周りが完全に壁パネル３ａや浴槽側床パン５ａで覆われるから、浴槽１の亀裂や追い炊きアダプター、ジェットバス等の部品取付け部からの水漏れに対する防水信頼性が高いものである。また、壁パネル３ａを取り除かなくても浴槽交換が可能となるものである。
【０００４】
上記従来技術においては、浴槽１の裏側まで壁パネル３ａを配設するものであるから、壁パネル３ａ全体のコストが高くなり、また、浴室内寸法を極力大きく取ることになるために、洗い場側床パン４ａ、浴槽側床パン５ａからなる浴室床パンＡ１と建物躯体とのクリアランスを最小限にした寸法のものとなる。
【０００５】
ところで、上記従来技術の浴室ユニットＡ１における洗い場側床パン４ａと浴槽側床パン５ａを一体形とした場合に、以下のような問題がある。
一体形で大型となった浴室床パンＡ１の搬入設置の施工性が悪い。
大型となった浴室床パンＡ１をレベル調整のためにボルト調整によって上げ下げする必要がある。
大型となった浴室床パンＡ１下での給排水の接続作業が困難である。
【０００６】
このような問題を解決するべく、洗い場側床パン４ａ及び浴槽側床パン５ａの各々に大型の点検口を設けたり、上部からボルト調整機構を付加するなどのことが行われている。
【０００７】
しかし、これらの手段を付加することはコスト増加要因となる。また、大型点検口を採用した場合、それを塞ぐ作業が必要となり、施工工数が増し、接合部の増大により施工が確実でなければ水漏れのリスクを伴うことになる。
【０００８】
そこで、洗い場側床パン４ａと浴槽側床パン５ａを分割することがあるが、以下のような問題がある。
【０００９】
・別体となるから、成型工数が増え、コストが高くなる。
洗い場側床パン４ａと大型の浴槽側床パン５ａとの接合工程が発生し、施工工数が増えるとともに、接合部の水漏れリスクが発生する。
【００１０】
また、上記従来技術の構成においては、
浴槽１の裏側（隠蔽部）まで壁パネル３ａを配置するから、壁パネル３ａ全体のコストが高くなる。
浴槽１の周囲から裏側への水の浸入により、隠蔽部である浴槽１の裏側の壁パネル３ａや床パンにカビなどの汚れが発生する可能性が高くなり、浴槽１の裏側は清掃性が悪く、汚れの除去が大変となる。
そこで、浴槽１の周囲からの水の浸入を防ぐために、シーリング材、パッキン材等が必要となり、外観を損なうとともに、コスト増加、及び、施工工数の増大につながる。
ところで、図９に示す他の従来技術（例えば、特許文献２、３等参照）においては、上記浴槽側床パンを床パンではなく浴槽側床架台５ｂとし、洗い場側床パン４ｂとは別体とし、更に、浴槽１に出入りする辺を除く浴槽の少なくとも二辺において、浴槽１の上部フランジ２に壁パネル３ａを載設している。洗い場側床パン４ｂの側縁部には浴室ユニットの全高の高さの壁パネル３ｈを載設している。
【００１１】
このような従来技術においては、以下のような特徴がある。
浴槽１の裏側には壁パネルがなく、床パンではないため、コストが安くなる。
分割構造のため、搬入や設置のための施工性がよい。
レバル調整のボルト調整等が特別な機構なく容易となる。
浴槽１の裏側への水の浸入がないため、清掃性がよい。
【００１２】
一方、浴槽１に対する床パンがないために、万一、浴槽１の割れ、部品（追い炊きアダプター、ジェットバス等）の取付け部、浴槽排水部からの水漏れ等に対する防水性能が低下するものである。
【特許文献１】特開２０００−６４７４８号公報
【特許文献２】特開２０００−１３６５５６号公報
【特許文献３】特開２０００−５０９０号公報
【発明の開示】
【発明が解決しようとする課題】
【００１３】
本発明は上記の従来の問題点に鑑みて発明したものであって、浴槽の上部フランジで壁パネルを支持する浴室ユニットの構成による良さを活かして、壁パネルのコスト低減、浴槽裏側への水の浸入がなく壁パネルに覆われることがない浴槽側の防水対策を十分なものに、かつ、清掃性に優れるようにし、それでいて、浴槽の下面に配設する浴槽側床パンのコストの低減、施工性の向上、特に、浴槽側床パンの周囲にスペースを形成することで多様な良さを得ることができる浴室ユニットを提供することを課題とするものである。
【課題を解決するための手段】
【００１４】
請求項１に係る発明においては、浴槽１に出入りする辺を除く浴槽１の少なくとも二辺において、浴槽１の上部フランジ２に壁パネル３を載設し、洗い場側床パン４に対して一体もしくは別体となっている浴槽側床パン５が浴槽１の下面に設置され、浴槽側床パン５の外形平面寸法が浴槽１の外形平面寸法よりも小さくしていることを特徴とするものである。
【００１５】
このような構成によれば、以下のような利点がある。
（１）浴槽側床パン５の外形平面寸法が浴槽１の外形平面寸法より小さいから、
・材料費が軽減できコスト削減が可能。
・搬入必要経路が小さくて済む。
・軽量となり、搬入作業性が良い。
・小さくした浴槽側床パン５の周囲に建物躯体とのクリアランスが大きくとれるため、
その周囲のスペースＳを作業スペースとすることが可能。
周囲のスペースＳは手が入る十分な寸法にできるため、このスペースＳを利用して例えば給排水の接続、レベル調整用のボルト調整が可能となる。
洗い場側床パン４の脚（ボルト）９、１０の内、浴槽１と反対側の例えば２本については、スペースＳからは手が届かないが、平面寸法の小さい床パン構造のために、床パン全体を浴槽側へスライドさせることが可能となり、それにより洗い場側床パン４と建築躯体との間に新たにできた作業スペースから洗い場側床パン４の脚（ボルト）９についても調整が可能となる。
更に、脚９及び脚体１０であるボルトの下に滑り抵抗の小さいスペーサー等を配置することで、無理なく浴槽⇔洗い場方向の床パンのスライド作業が容易になる。
これにより、床パン上部からのボルト調整装置、大型点検口が不要となり、コスト削減が可能となる。
・洗い場側床パン４や浴槽側床パン５に作業のための点検口が不要となるため、点検口を塞ぐという作業が不要。
・点検口の取付け接合部がないため、余計な隙間等もなく意匠性の低下がない。
・点検口の取付け部の漏水リスクがない。
また、浴槽１の下面より垂下されている例えば４本の浴槽脚部の鉛直方向荷重を支えればよいため、浴槽脚部の真下に浴槽側床パン５の脚体１０を設けることで、浴槽側床パン５自体の要求強度は更に小さくなり、構造の簡略化が可能となり、コスト低減が可能となる。
・ところで、浴室のリホームの場合に、既存ユニット（浴室）の裏側の障害物の有無や位置が分からず、解体後に、梁や配管等と床パンまたはボルトの干渉が判明することが少なくないが、浴槽側床パン５がコンパクトであり、かつ、ボルト位置が内側（浴槽脚下）に配置可能なため、床梁、ガス管、給排水管などの建築側障害物との干渉を避けられる。
（２）壁パネル３は浴槽１の上部フランジ２で支持されているから、
・浴槽側床パン５の外周部の強度が不要となる。
【００１６】
・従来のように、浴槽１と浴槽１の外の壁パネル３ａの間から浴槽側床パン５ａに水が浸入することがない。
浴槽１と壁パネル３の間の目地が不要となり、目地の汚れもなく、施工性も向上し、外観がすっきりする。
（３）浴槽１の下には浴槽側床パン５があるから、
・浴槽１下の十分な防水性能を有する。
浴槽１の下に浴槽１を受けるための鋼製フレーム等が不要となり、コスト削減が可能。
ところで、請求項１に係る発明においては、浴槽１に出入りする辺を除く三辺において、浴槽１の上部フランジ２に壁パネル３を載設してもよいものである。
【００１７】
要する請求項１に係る発明においては、浴槽１の上部フランジ２で壁パネル３を支持する構成による良さを活かして、壁パネル３のコスト低減、浴槽裏側への水の浸入がなく壁パネル３に覆われることがない浴槽側の防水対策を十分なものに、かつ、清掃性に優れるようにしながら、特に、浴槽側床パン５の外形平面寸法を浴槽１に比べて小さくすることで、搬入作業性が容易となり、浴槽側床パン５の周囲のスペースを作業スペースにでき、給排水の接続及びボルト調整が可能となり、大型点検口が不要となり、床梁、ガス管、給排水管などの建築側障害物との干渉が避けられ、浴槽側床パン５への強度要求値が小さくでき、防水機能を備えながらコストを抑えることができる等多様な利点を得ることができる。
【００１８】
請求項２に係る発明においては、上記浴槽１の上部フランジ２と浴槽側床パン５との間に防水・防塵シート６を張設していることを特徴とするものである。
【００１９】
このような構成によれば、浴室に臨む以外の浴槽１の裏側を防水・防塵シート６で覆うことができ、建築時や浴室施工時にゴミ等が浴槽側床パン５内に入り込むのを防止することができ、また、万一、浴槽１に水が入っている状態で、浴槽１の側面が大きく割れ、勢い良く水が出た場合、建築躯体側へ水害を及ぼすことを防止することができる。
【００２０】
この場合、上記防水・防塵シート６は汎用的な樹脂シート等安価なものを使用することができる。防水・防塵シート６は浴槽１の上部フランジ２及び浴槽側床パン５に、例えば、面状ファスナー、クリップ、フックなどの簡易な着脱手段にて着脱自在に取付けることで、防水・防塵シート６の施工性を高めることができる。
【００２１】
請求項３に係る発明においては、上記浴槽１の上部フランジ２と対向する浴槽側床パン５部分との間に防水・防塵壁８を設けていることを特徴とするものである。
【００２２】
このような構成によれば、浴室に臨む以外の浴槽１の裏側を防水・防塵壁８で覆うことができ、建築時や浴室施工時にゴミ等が浴槽側床パン５内に入り込むのを防止することができ、また、万一、浴槽１に水が入っている状態で、浴槽１の側面が大きく割れ、勢い良く水が出た場合、建築躯体側へ水害を及ぼすことを防止することができる。この場合、防水・防塵壁８に断熱機能を付与することで、浴槽１の保温性能を高めることができる。
【００２３】
請求項４に係る発明においては、上記浴槽１に出入りする辺を除く三辺において、浴槽１の上部フランジ２に対向する浴槽側床パン５の三辺の各々が、平面視において上部フランジ２よりも浴槽内方側に位置させていることを特徴とするものである。
【００２４】
このような構成によれば、請求項１の（１）欄で述べた良さに加えて、浴槽側床パン５の周囲には建物躯体との間に平面視が略コ字状となる十分なスペースＳを形成することができ、浴槽側床パン５の周囲のスペースＳに、例えば、給水・給湯管等の立ち上げが可能となり、浴槽側床パン５を貫通させる必要がなくなるため、貫通部の防水設計、施工が不要となり防水性向上と施工性向上を図ることができる。
【００２５】
また、例えば給水・給湯管を浴槽側床パン５内に引き込み、浴槽側床パン５上で接続することで接続部の漏水対応も可能となる。
【発明の効果】
【００２６】
要するに本発明は、浴槽の上部フランジで壁パネルを支持する浴室ユニットの構成による良さを活かして、壁パネルのコスト低減、浴槽裏側への水の浸入がなく壁パネルの施工性を高めるものでありながら、壁パネルにて覆われることがない浴槽側の防水対策を十分なものにし、それでいて、浴槽の下面に配設する浴槽側床パンのコストの低減、施工性の向上、特に、浴槽側床パンの周囲にスペースを形成することができて多様な良さを得ることができる。
【発明を実施するための最良の形態】
【００２７】
以下、本発明を添付図面に示す実施形態に基いて説明する。図１は分解斜視図である。図２（ａ）は概略平面図、同図（ｂ）は洗い場側床パン及び浴槽側床パンを示す側面図である。図３は概略平面図である。
【００２８】
図１及び図２に示すように、洗い場側床パン４に浴槽側床パン５が例えば一体的（分離型であってもよい）に形成され、洗い場側床パン４に垂下した例えば四本の脚９及び浴槽側床パン５に垂下した例えば四本の脚体１０が建物躯体の床スラブ（図示せず）に高さ調整されて載置される。脚９及び脚体１０はボルトを使用していて、据え付け高さを調整可能にしている。脚９及び脚体１０は３本以下ないし５本以上であってもよい。洗い場側床パン４の排水口１１には排水管が、浴槽側床パン５の排水口部１２には排水管が接続され、両排水管よりの排水が合流して屋外の排水会所に集められて下水に排水されるようにしている。
【００２９】
浴槽１の四辺には上部フランジ２が形成され、浴槽１の出入り口辺を除く三辺（二辺でもよい）における上部フランジ２に、床ハーフとしての壁パネル３が載設され、洗い場側床パン４の周部の立上げ縁部１３に浴室ユニットＡの略全高の壁パネル３ｈが載設され、浴室ユニットＡの出入り口縁に出入り口扉を備えた出入り口壁（図示せず）が載設される。これら壁パネル３、３ｈや出入り口壁に天井材が張設され、浴槽１の出入り口縁の上部フランジ２と洗い場側床パン４の浴槽側床パン５側の立上げ縁１４に浴槽エプロン（図示せず）が設けられて浴室ユニットＡが構成される。
浴槽側床パン５に浴槽１が載せられるのであり、この場合、浴槽１の脚（図示せず）が浴槽側床パン５の脚体１０の上方にくるようにしている。
【００３０】
図２（ａ）に示すように、浴槽側床パン５の外形平面寸法が浴槽１の外形平面寸法よりも小さくしている。この場合、浴槽１に出入りする辺を除く三辺において、浴槽１の上部フランジ２に対向する浴槽側床パン５の三辺の各々が、平面視において上部フランジ２よりも浴槽内方側に位置させている。浴槽側床パン５の洗い場側床パン４側の立上げ縁１５は洗い場側床パン４の立上げ縁１４に一連に形成されている。
【００３１】
このような構成によれば、浴槽側床パン５の材料費が軽減できコスト削減が可能となり、搬入必要経路が小さくて済み、軽量となり、搬入作業性が良くなる。小さくした浴槽側床パン５の周囲に建物躯体とのクリアランスが大きくとれ、その周囲のスペースＳを作業スペースとすることが可能となる。浴槽側床パン５の周囲のスペースＳは手が入る十分な寸法を有していて、このスペースＳを利用して例えば給排水の接続、浴槽側床パン５の脚体１０をボルトとするボルト調整（高さ調整）及び洗い場側床パン４の脚体９のうち、浴槽１寄りのボルトの調整が可能となる。これにより、上部のボルト調整装置、大型点検口が不要となり、コスト削減が可能となる。
【００３２】
このように、洗い場側床パン４や浴槽側床パン５に作業のための点検口が不要となるため、点検口を塞ぐという作業が不要となり、点検口の取付け接合部がないため、余計な隙間等もなく意匠性の低下がなく、点検口の取付け部の漏水リスクがない。
【００３３】
また、浴槽１とは反対側の洗い場側床パン５側の接地用の脚体１０をボルトとするボルト２本についても、浴槽側床パン５自体が小さいことで、浴槽１側へ浴槽側床パン５を移動させることにより、点検口や上部からのボルト調整機能等特別な装置がなくとも調整が可能となる。
【００３４】
また、脚９、脚体１０をボルトとするボルトの下に滑り抵抗の小さいスペーサー等を配置することで、浴槽１⇔洗い場側床パン方向の床パンの移動を容易にすることが可能となる。
【００３５】
また、浴槽側床パン５においては、浴槽１の下面より垂下されている４本の浴槽脚部の鉛直方向荷重を支えるだけでよいため、浴槽脚部の真下に浴槽側床パン５の脚体１０を設けることで、浴槽側床パン５自体の要求強度は更に小さくなり、構造の簡略化が可能となり、コスト低減が可能となる。
【００３６】
また、浴槽側床パン５への強度要求値が小さくすることができるため、洗い場側床パン４と分割する分割パンとする場合に、真空成型品等安価な型、材料を選定可能となる。
【００３７】
ところで、浴室をリホームする場合に、既存ユニット（浴室）の裏側の障害物の有無や位置が分からず、解体後に、梁や配管等と床パンまたはボルトの干渉が判明することが少なくないが、浴槽側床パン５がコンパクトであり、かつ、脚体１０となるボルトの位置が内側（浴槽脚下）に配置可能なため、床梁、ガス管、給排水管などの建築側障害物との干渉を避けられる。
【００３８】
ところで、浴槽１の上部フランジ２で支持される床ハーフの壁パネル３は、浴槽１の上に設置されるのであり、浴槽側床パン５の外周部の強度が不要となる。このように、浴槽１側の壁パネル３は、浴槽１の上部フランジ２上に設置するため、図８に示す従来のように、浴槽１と浴槽１の外の壁パネル３ａの間から浴槽側床パン５ａに水が浸入することがない。また、浴槽１と壁パネル３の間の目地が不要なため、外観がすっきり、目地の汚れや破損不具合がなく、施工性も向上するものである。
【００３９】
更に、浴槽１の下に浴槽側床パン５があるから、浴槽１下の防水性能を有するのであり、また、浴槽１の下に浴槽１を受けるための部材（鋼製フレーム等）が不要となり、コスト削減が可能となる。
【００４０】
図２（ａ）、図３に示すように、また、上述したように、浴槽１に出入りする辺を除く三辺において、浴槽１の上部フランジ２に対向する浴槽側床パン５の三辺の各々が、平面視において上部フランジ２よりも浴槽内方側に位置させている。
【００４１】
このような構成によれば、浴槽側床パン５の周囲で建物躯体との間に平面視が略コ字状となるスペースＳを形成することができ、浴槽側床パン５の周囲のスペースＳに、例えば、給水・給湯管等の立ち上げが可能となり、浴槽側床パン５を貫通させる必要がなくなるため、貫通部の防水設計、施工が不要となり防水性向上と施工性向上を図ることができる。
【００４２】
また、例えば給水・給湯管を浴槽側床パン５内に引き込み、浴槽側床パン５上で接続することで接続部の漏水対応することも可能となる。図３において、Ｓ１は給水・給湯立上げスペース、Ｓ２は浴槽側床パン５内への給水・給湯取込みスペースを示している。
【００４３】
図４は他の実施の形態を示し、浴槽１の三辺の上部フランジ２と浴槽側床パン５との間に防水・防塵シート６を張設している。防水・防塵シート６は汎用的な樹脂シートを使用する。防水・防塵シート６は浴槽１の上部フランジ２及び浴槽側床パン５に、例えば、面状ファスナー、クリップ、フックなどの簡易な着脱手段にて着脱自在に取付けることで、防水・防塵シート６の施工性を高めている。
【００４４】
このような構成によれば、浴室に臨む以外の浴槽１の裏側を防水・防塵シート６で覆うのであり、建築時や浴室施工時にゴミ等が浴槽側床パン５内に入り込むのを防止している。万一、浴槽１に水が入っている状態で、浴槽１の側面が大きく割れ、勢い良く水が出た場合、建築躯体側へ水害を及ぼすことを防止することができる。
【００４５】
図６は更に他の実施の形態を示し、浴槽１の三辺の上部フランジ２と対向する浴槽側床パン５部分との間に防水・防塵壁８を設けている。
【００４６】
このような構成によれば、浴室に臨む以外の浴槽１の裏側を防水・防塵壁８で覆うことができ、建築時や浴室施工時にゴミ等が浴槽側床パン５内に入り込むのを防止することができ、また、万一、浴槽１に水が入っている状態で、浴槽１の側面が大きく割れ、勢い良く水が出た場合、建築躯体側へ水害を及ぼすことを防止することができる。防止・防塵壁８に断熱機能を付与してもよいものであり、この場合、浴槽１の保温性能を高めることができてよい。
【図面の簡単な説明】
【００４７】
【図１】本発明の実施の一形態を示す分解斜視図である。
【図２】（ａ）は概略平面図、（ｂ）は洗い場側床パン及び浴槽側床パンを示す側面図である。
【図３】概略平面図である。
【図４】他の実施の形態を示す分解斜視図である。
【図５】同上の概略側面図である。
【図６】更に他の実施の形態を示す分解斜視図である。
【図７】同上の概略側面図である。
【図８】従来例を示す分解斜視図である。
【図９】他の従来例を示す分解斜視図である。
【符号の説明】
【００４８】
１  浴槽
２  上部フランジ
３  壁パネル
４  洗い場側床パン
５  浴槽側床パン
６  防水・防塵シート
８  防水・防塵壁
【図１】
2008156816.tif 000003
【図２】
2008156816.tif 000004
【図３】
2008156816.tif 000005
【図４】
2008156816.tif 000006
【図５】
2008156816.tif 000007
【図６】
2008156816.tif 000008
【図７】
2008156816.tif 000009
【図８】
2008156816.tif 000010
【図９】
2008156816.tif 000011